Podtech/llm-jp-corpus-v4-ja_patent huggingface dataset:
(57)【要約】【課題】損傷したブラシを簡単に取替え可能な歯ブラシを提供すること。【解決手段】本発明の歯ブラシは、使用者が握ることができる所定の長さを有し、その終端に挿入孔（５）が形成された柄部（１）と、挿入孔（５）に係合される突起（７）を有し、硬質材料で形成された複数の前側ブラシ毛（９）が装着されたブラシ毛支持ヘッド（３）と、ブラシ毛支持ヘッド（３）の前側ブラシ毛（９）に隣接する所定位置に設けられ、軟質材料で形成された後側ブラシ毛（１１）を有する着脱可能ブラシ毛支持部材（１２）とを含む。【選択図】図１
2007530131.tif 000002
【特許請求の範囲】
【請求項１】
使用者が握ることができる所定の長さを有し、終端に挿入孔が形成された柄部と；
前記挿入孔に係合される突起を有し、硬質材料で形成された複数の前側ブラシ毛が装着されたブラシ毛支持ヘッドと；
前記ブラシ毛支持ヘッドの前記前側ブラシ毛に隣接する所定位置に設けられ、軟質材料で形成された後側ブラシ毛を有する着脱可能ブラシ毛支持部材と；
を含むことを特徴とする、歯ブラシ。
【請求項２】
前記ブラシ毛支持ヘッドと前記着脱可能ブラシ毛支持部材は、生分解性樹脂からなり、前記柄部は樹脂からなることを特徴とする、請求項１に記載の歯ブラシ。
【発明の詳細な説明】
【技術分野】
【０００１】
本発明は、歯ブラシに関し、詳しくは、ブラシを取替え可能な歯ブラシに関する。
【背景技術】
【０００２】
一般に、歯ブラシは、歯磨きと一緒に使用して、歯牙を衛生的で、かつ清潔に洗浄するためのものである。この歯ブラシは、使用者が握ることができるようにした柄部と、柄部の一端に位置し、使用者の歯牙に接触する複数のブラシを支持するヘッド部とを有している。ここでブラシは、前記ヘッド部に、長手方向に沿って数本ごとに束ねられ1列に配列されており、厚み方向に沿って３〜４列設けられる。
【０００３】
ところで、このような歯ブラシは長く使っていると縁部側にあるブラシが外側に向けて曲がる現像が発生しやすいため、ブラシが歯茎を刺激して損傷を与えてしまうばかりでなく、このような現像が長い間繰り返されると、歯牙に致命的な損傷を与えてしまい、歯牙の健康を害する問題点があった。
【０００４】
また、長時間使用して使用期限が過ぎた歯ブラシを地中に埋めると、環境汚染をもたらし致命的な環境破壊が加速化され、自然治癒能力をほぼ喪失するという問題点があった。
【発明の開示】
【発明が解決しようとする課題】
【０００５】
そこで、本発明は、上記問題に鑑みてなされたものであり、本発明の目的とするところは、損傷したブラシを簡単に取替えるのはもちろん、生分解性素材を用いて環境汚染を防止することが可能な、新規かつ改良された歯ブラシを提供することにある。
【課題を解決するための手段】
【０００６】
上記目的を達成するために、本発明の歯ブラシは、使用者が握ることができる所定の長さを有し、終端に挿入孔が形成された柄部と、挿入孔に係合される突起を有し、硬質材料で形成された複数の前側ブラシ毛が装着されたブラシ毛支持ヘッドと、ブラシ毛支持ヘッドの前側ブラシ毛に隣接する所定位置に設けられ、軟質材料で形成された後側ブラシ毛を有する着脱可能ブラシ毛支持部材と、を含むことを特徴とする、歯ブラシが提供される。
【０００７】
また、ブラシ毛支持ヘッドと着脱可能ブラシ毛支持部材は、生分解性樹脂からなり、柄部は樹脂からなるようにしてもよい。
【発明の効果】
【０００８】
以上説明したように本発明によれば、損傷したブラシを簡単に取替え可能な構造であるので半永久的に使用でき、生分解性素材からなるので環境汚染を防止できる。
【発明を実施するための最良の形態】
【０００９】
以下に添付図面を参照しながら、本発明による歯ブラシについて詳細に説明する。図１は、本発明による歯ブラシを示す斜視図であり、図２は本発明による歯ブラシを示す断面図である。
【００１０】
本発明の歯ブラシは、図１に示すように、前端部と後端部とが結合された構造を有する。歯ブラシの後端部は、使用者が歯磨きするときに歯ブラシを握ることができるようにした柄部１で構成されている。歯ブラシの前端部は、歯牙と摩擦を引き起こす複数のブラシが植毛されたブラシ毛支持ヘッド３から構成されている。
【００１１】
柄部１は、使用者が柄部１を容易に握ることができるような十分な長さを有する。柄部１の終端には、挿入孔５が形成されている。さらに、柄部１は、使用者が歯磨きするときに安定的に握ることができるように、流線型に形成されている。
【００１２】
ブラシ毛支持ヘッド３は、挿入孔５に係合する突起７を有する。ブラシ毛支持ヘッド３における突起７と他側の端部には、比較的硬質の材料で形成された複数の前側ブラシ毛９が植毛されている。前側ブラシ毛９は、数本のブラシの束が全体の１／３〜１／５程度植毛されている。
【００１３】
図２に示すように、ブラシ毛支持ヘッド３には、前側ブラシ毛９の後方の所定位置に、着脱可能ブラシ毛支持部材１２が着脱可能に設けられている。着脱可能ブラシ毛支持部材１２には、複数の後側ブラシ毛１１が装着されている。この後側ブラシ毛１１は、優れた洗浄力を有し、前側ブラシ毛９より比較的軟質の材料で形成されており、後側ブラシ毛１１が歯茎に接したときにユーザが不快感を得ないようになっている。ブラシ毛支持ヘッド３の所定位置には、着脱可能ブラシ毛支持部材１２の全体が挿入されることができるようにした凹部１３が形成されている。凹部１３の底部の所定領域には結合孔１５が形成されており、着脱可能ブラシ毛支持部材１２の底面に形成された結合突起１４が、凹部１３の結合孔１５に、強制的に嵌め込まれるようになっている。
【００１４】
一方、環境汚染を防止の観点から、ブラシ毛支持ヘッド３及び着脱可能ブラシ毛支持部材１２の双方は、長期間の使用後に新品に取替えて継続的に使用することができるものであるため、常温の土壌で比較的短期間で分解される生分解性樹脂で形成されている。一方、柄部１は、ほぼ半永久的に使用することができるものであるため、一般の合成樹脂で形成されている。
【００１５】
上述したとおり、本発明の歯ブラシでは、ブラシ毛支持ヘッド３及び着脱可能ブラシ毛支持部材１２を、長期間の使用後に、新品に取替えることができ、また、柄部１は、ほぼ半永久的に使用することができる。さらに、ブラシ毛支持ヘッド３及び着脱可能ブラシ毛支持部材１２は、生分解性物質で形成されているので、環境の自浄作用により容易に分解される。加えて、前側ブラシ毛９が硬質材料で形成されているので、口腔内の深い部分でさえも容易に洗浄することができる。
【図面の簡単な説明】
【００１６】
【図１】本発明による歯ブラシを示す斜視図である。
【図２】本発明による歯ブラシを示す断面図である。
【図１】
2007530131.tif 000003
【図２】
2007530131.tif 000004
【国際調査報告】
2007530131.tif 000005
2007530131.tif 000006
2007530131.tif 000007
(57)【要約】本発明は、独特且つコンパクトな自動ロック機構であって、ガラスを雌形材に載置し、雄形材を挿入するとき、自動的にロックするように構成された２つのアルミニウム形材から成り、溝付きゴムに押し込まれるとき、ガラス縁部に対する把持をさらに強化する、独特且つコンパクトな自動ロック機構に関する。
2007500294.tif 000002
【特許請求の範囲】
【請求項１】
自動ロック機構であって、ガラスを雌形材に載置し、雄形材を挿入するとき、自動的にロックするように構成された２つのアルミニウム形材から成り、溝付きゴムに押し込まれるとき、該ガラス縁部に対する把持をさらに強化する自動ロック機構。
【発明の詳細な説明】
【技術分野】
【０００１】
本発明は、独特且つコンパクトな自動ロック機構であって、ガラスを雌形材に載置し、雄形材を挿入するとき、自動的にロックするように構成された２つのアルミニウム形材から成る独特且つコンパクトな自動ロック機構に関し、この機構は、（金属と接触することを避け、膨張を可能にし、且つ衝撃を吸収するためにガラスの取り付けには必須である）溝付きゴムに押し込まれるとき、ガラス縁部に対する把持をさらに強化する。
【背景技術】
【０００２】
［技術背景］
「A SNAP-IN GLAZING POCKET FILLER（はめ込み式ガラス取り付けポケットフィラー）」と題する米国特許第５００７２２１号は、「不使用のガラス取り付けポケット」を有する構造枠部材に使用されるか、美的理由で不使用領域を覆うためにアルミニウム形材に隙間フィラーとして使用されるはめ込み式ポケットフィラーを開示している。
【０００３】
より厚いガラスの取り付け（たとえば、商店の正面及び間仕切り）の需要の増加を満たすための適当なガラス取り付けシステムが市場にないことがわかっており、簡単且つ技術的に安全であるとともに、見た目に印象的であるシステムを開発することが当業者に必要とされている。
【発明の開示】
【発明が解決しようとする課題】
【０００４】
現時点で一般的に入手可能なアルミニウム形材は、標準的な窓ガラス取り付け用であるが、利用できる選択肢が他にないため、安全性、品質及び見た目の魅力に折り合いをつけることによって、多くの人がそれをより厚いガラスの取り付け用に使用している。ショールームを最大限に見やすくするために、設計者は、より軽い枠を周囲に設けた枠なしガラス取り付けにこだわる。技術者は「Ｕ」字形チャネルを使用し、その中でガラス板は、端部がシリコーンで緩く固定されるので、自由な状態にあることができ、そのために水平方向に移動しやすい。
【０００５】
Dorma（ドイツ）のような一部の専門的な先駆者は、より厚いガラス用に重い形材を開発したが、これはねじで留め付ける必要があり、美的理由でねじをさらに覆わなければならず、したがって、作業が複雑化し、且つ手間がかかり、結果的に高価になる。
【課題を解決するための手段】
【０００６】
以上の要因を鑑み、且つより迅速なガラス取り付けの要望を考慮して、本発明は、安全性の問題を強調すると同時に、見た目の魅力の重要性に取り組んで、ガラス取り付け用に十分な隙間を与え（現場で枠を設置する前に、ガラスの寸法を決定することができる）、且つ現場での設置を容易にする。
【発明を実施するための最良の形態】
【０００７】
ガラス取り付けシステムは、ガラス板を所定位置に安全且つ固定的に保持するために確実な空間を生じるように構成された２つの押し出しアルミニウム形材（雄及び雌）から成る。本発明の重要な態様は、ガラス板を雌形材に載置して、雄形材を挿入し、且つゴムビードをガラスと形材（両側）との間に（手で）押し込むとき、形材の上脚部に外向きの（それらを押し離す）力が発生する、というものである。回動支点を中心にした旋回移動が、ロックシステムを押し合わせるが、それは、形材の（底部）の湾曲したフック部分が互いに係合して自動的にロックし、それにより、形材を所定位置に捕らえることによる。
【０００８】
使用される科学的原理は、ニュートンの力の法則、ゴムビードの弾性的性質、及び支点を中心にした可動部分の回転モーメントの伝達である。以下の説明は、図８との関連で理解される。
Ｆ：（ゴムビードによる）外向き力
Ｐ：（ロックを生じる）内向き力
Ｃ：支点
【０００９】
ゴムビードをガラスと形材セクション（第１及び第２部品）との間に挿入することにより、両セクションの脚部に対して外向き力（Ｆ）を発生して、それらを「Ｆ」方向に押し離す。回動支点（Ｃ）での旋回モーメントが、ロックシステムを押し合わせる（Ｐ）。ロックシステムは、セクション（雄及び雌）の脚部に組み込まれたロックの湾曲フック外形がはめ合い縁部を形成し、それにより、形材セクションを所定位置に捕らえることによる。
【００１０】
予め決定される変数は、ガラスの寸法及びゴムビードの寸法である。本構造では、風や、ガラスをその設置位置から外すように働く作用を有する物理的運動によって発生する振動のような状態によって加えられるいずれの外力も、本システムの締結機構をさらに締め付け、それにより、ガラス板を所定位置に捕らえるように働くだけである。
【図面の簡単な説明】
【００１１】
【図１】雌形材を示す図である。
【図２】雄形材を示す図である。
【図３】ねじを使用した形材の固定を示す図である。
【図４】第２部品形材上のガラスパッキン（ガラス板１枚当たり最低でも２つ）を示す図である。
【図５】図５の第２部品形材の上方に載置された（枠寸法に適する）１０ｍｍ厚のガラスを示す図である。
【図６】第２部品形材上の隙間を通る第１部品形材を示す図である。
【図７】ガラス板の両側から形材の隙間の間に力を使用して溝付きゴムビードを挿入したところを示す図である。
【図８】説明したガラス取り付けシステムの機構の科学的原理を示す図である。
【図１】
2007500294.tif 000003
【図２】
2007500294.tif 000004
【図３】
2007500294.tif 000005
【図４】
2007500294.tif 000006
【図５】
2007500294.tif 000007
【図６】
2007500294.tif 000008
【図７】
2007500294.tif 000009
【図８】
2007500294.tif 000010
【国際調査報告】
2007500294.tif 000011
2007500294.tif 000012
2007500294.tif 000013
(57)【要約】【課題】鋳造用に使用されるエネルギーが最適に利用されるように成形品の鋳造方法を設計し改良すること。【解決手段】本発明は、成形品を鋳造する方法に関し、前記方法が以下の工程を有する。すなわち、金型が、鋳物砂から作られた中子から得られた中子パケットから形成されることで準備され、金属溶融物が前記金型に注入され、該金型が、鋳込み前及び／又は鋳込み後に断熱され、プロセス熱が、鋳込み成形品及び／又は前記中子パケットを形成する成形材料の制御処理のための金型及び／又は断熱材内で既知の方法で利用される。【選択図】なし【特許請求の範囲】
【請求項１】
鋳物砂から作られた中子から得られた中子パケットから形成された金型の準備工程と、
金属溶融物を前記金型に注入する工程と、
鋳込み前及び／又は鋳込み後の前記金型の断熱工程と、
前記鋳込み成形品及び／又は前記中子パケットを形成する成形材料の制御処理のための金型すなわち断熱材内のプロセス熱の計画的な使用工程と、からなる成形品を鋳造する方法。
【請求項２】
前記プロセス熱が、前記鋳物砂内の有機あるいは無機結合材を燃焼するために使用されることを特徴とする請求項１に記載の方法。
【請求項３】
前記プロセス熱が、前記鋳込み成形品の熱処理のために使用されることを特徴とする請求項１に記載の方法。
【請求項４】
前記成形品又はシステム全体が制御されて冷却されることを特徴とする請求項１ないし請求項３のいずれか１項に記載の方法。
【請求項５】
ガスが、前記鋳込み成形品及び／又は前記中子パケットの現場熱処理時に前記金型及び／又は前記断熱材の内部から排気されることを特徴とする請求項１ないし請求項４のいずれか１項に記載の方法。
【請求項６】
前記結合材の燃焼時に発生したガスが、前記鋳込み成形品及び／又は前記中子パケットの現場熱処理時に前記断熱材内に保持されることを特徴とする請求項１ないし請求項４のいずれか１項に記載の方法。
【請求項７】
熱が、前記断熱時に除去されることを特徴とする請求項１ないし請求項６のいずれか１項に記載の方法。
【請求項８】
部分的に中空設計を備えて質量が軽減した中子が、前記中子パケットを形成するために使用されることを特徴とする請求項１ないし請求項７のいずれか１項に記載の方法。
【発明の詳細な説明】
【技術分野】
【０００１】
この発明は、成形品を鋳造する方法に関する。
【背景技術】
【０００２】
本発明は、非常に一般的に成形品の鋳造すなわち鋳造技術に関する。
全ての種類の成形部品を鋳造するために、通常は、鋳造用中子（コア）及び／金型が、別個の部品から作られ、集約され、接合されて鋳造金型、又は中子パケットあるいは金型パケットが製造される。
それから、これらの金型／中子パケットには、例えば金属加工物を製造するために溶融金属が満たされ、それにより大量生産において、溶融金属が満たされる複数の金型／中子パケットが連続して組立てラインを通過する。
一緒に接合される中子を製造するための中子及びシェル金型射出機が実際に数十年間公知になっている。
例として、中子及びシェル金型射出機を開示する文献を挙げておく（例えば、特許文献１参照）
【特許文献１】独国特許発明第３１４８４６１号明細書
【発明の開示】
【発明が解決しようとする課題】
【０００３】
これまで、成形品は、中子又は中子パケットから構成された金型で鋳造されてきた。
金型が射出され形成された後、該金型は中子砂から作られた別の金型又は閉鎖容器に一体化され、必要な機械的安定性を確保する。
実際の鋳造手順にかかわらず、その後、金型／中子パケットを形成する鋳物砂を鋳込み成形品から除去しなければならない。
結合材のため、かなりの労力を必要とする鋳物砂の特別な廃棄又はリサイクルが必要である。
【０００４】
先行技術から知られている方法は、溶融物から金型パケットへ誘導され冷却プロセスを介して多少とも消失されてきた、熱の形態のエネルギーをかなり必要としている。
さらに、結合材を焼きなますため、従って鋳物／中子砂をリサイクルするために、更なるエネルギーを消費する必要がある。
【０００５】
従って、本発明の目的は、鋳造用に使用されるエネルギーが最適に利用されるように、前述の範疇を限定するような方法を設計し改良することである。
【課題を解決するための手段】
【０００６】
この目的は、以下の工程によって達成される。すなわち、
鋳物砂から作られた個々の金型及び／又は中子から形成された金型又は中子パケットの準備工程と、
金属溶融物を前記金型に注入する工程と、
鋳込み前及び／又は鋳込み後の前記金型の断熱工程と、
前記鋳込み成形品及び／又は前記金型及び／又は前記中子パケットを形成する成形材料の制御処理のための金型すなわち断熱材内のプロセス熱の計画的な利用工程によって達成される。
【発明の効果】
【０００７】
更なる有利な方法において、前記プロセス熱を鋳物砂内の有機あるいは無機結合材を燃焼するために使用することができ、それにより、その後の特別なリサイクル対策の必要が無くなる。
有害廃棄物としての鋳物砂の特殊な廃棄も、該鋳物砂が万一再利用されることがなくても、不要である。
このプロセス熱を、鋳込み成形品の熱処理に使用することもできる。
【発明を実施するための最良の形態】
【０００８】
特に好ましい方法では、成形品を制御して冷却することができ、実際の中子パケット周囲の断熱が、非常に重要視される。
現場熱処理時に、金型及び／又は断熱材の内部からの気体を排気することも可能である。
中子パケットの形成のために、中空体として設計された個々の中子を使用することが有利であるとする更なる特徴が非常に重要視される。
このことは、中子砂材料の質量が最小に維持されて、鋳込み成形品及び／又は中子パケットを処理するため、従って、例えば、結合材を燃焼するために、システム全体に熱の形態で存在するエネルギーを最大限に利用できるという、多大な利点を有している。
【０００９】
結合材の燃焼時に発生した燃焼ガスが、断熱用装置内に貯留されることも有利である。この燃焼ガスは、断熱プロセスの最後に排気することができる。
汚染ガスが集中して存在することよって、それらのガスの廃棄又は除去がかなり容易になり、プロセスがかなり単純化される。
重複を避けるため、他の点で、上記記載の概略部を参照している。
最後に、上記の実施形態は、クレームされた教示内容を説明するための例としてのみ使われており、この実施例に限定されるべきものではない。
【国際調査報告】
2007509753.tif 000002
2007509753.tif 000003
2007509753.tif 000004
2007509753.tif 000005
2007509753.tif 000006
2007509753.tif 000007
(57)【要約】  ベンズイミダゾール系化合物を提供する。下記化学式１で表示される新たなベンズイミダゾール系化合物である。2007509041.tif 000005前記式で、Ｘは、Ｆ、Ｃｌ、ＢｒまたはＩのハロゲン元素であり、Ｙは、ニトロ基（−ＮＯ２）またはトリフルオロメチル基（−ＣＦ３）の電子引力が強い基である。これにより、本発明は、ビスヒドロキシ化合物と重合をなして高分子製造が可能であり、製造された高分子は、多様な機能性高分子薄膜の製造に使われうる。【特許請求の範囲】
【請求項１】
下記化学式１で表示されるベンズイミダゾール系化合物。
【化１】
2007509041.tif 000004
前記式で、
Ｘは、Ｆ、Ｃｌ、ＢｒまたはＩであり、
Ｙは、ニトロ基（−ＮＯ２）またはトリフルオロメチル基（−ＣＦ３）である。
【請求項２】
前記Ｘは、Ｆであることを特徴とする請求項１に記載のベンズイミダゾール系化合物。
【請求項３】
前記Ｘは、Ｃｌであることを特徴とする請求項１に記載のベンズイミダゾール系化合物。
【請求項４】
前記Ｙは、トリフルオロメチル基であることを特徴とする請求項１に記載のベンズイミダゾール系化合物。
【請求項５】
前記Ｙは、ニトロ基であることを特徴とする請求項１に記載のベンズイミダゾール系化合物。
【請求項６】
請求項１に記載のベンズイミダゾール系化合物を単量体として合成されたベンズイミダゾール高分子。
【請求項７】
請求項６に記載のベンズイミダゾール高分子を含む機能性高分子薄膜。
【請求項８】
前記機能性高分子薄膜は、リン酸または硫酸でドーピングされたことを特徴とする請求項７に記載の機能性高分子薄膜。
【請求項９】
前記機能性高分子薄膜は、燃料電池の電解質膜として使われることを特徴とする請求項７に記載の機能性高分子薄膜。
【発明の詳細な説明】
【技術分野】
【０００１】
本発明は、新たな構造のベンズイミダゾール系化合物に係り、さらに詳細には、ビスヒドロキシ化合物と重合をなして機能性高分子薄膜用の高分子を製造できるベンズイミダゾール系化合物に関する。
【背景技術】
【０００２】
ポリベンズイミダゾール（Ｐｏｌｙｂｅｎｚｉｍｉｄａｚｏｌｅ：ＰＢＩ）は、優秀な機械的・物理的特性によって広く使われており、特に、耐熱性が強くて防火壁または放火服の製造に使われている。
【０００３】
ＰＢＩと関連して、特許文献１及び非特許文献１には、二つのベンズイミダゾールが直接結合しつつ、２番位置にハロゲン非置換のフェニル基の結合する構造が開示されている。
【０００４】
前記ハロゲンまたはヒドロキシ基、シアノ基、アルコキシ基、アルキル基などの置換関連の技術としては、特許文献２に開示された技術を確認でき、特許文献３及び４には、ベンズイミダゾールに結合されているフェニル基がヒドロキシ基に置換されている構成を表している。
【０００５】
また、特許文献５に開示されているリン酸がドーピングされたＰＢＩ薄膜は、１００℃以上の高温でも高い陽イオン伝導度を示し、このような特性によって、高温燃料電池用の電解質として利用することについての多くの研究が最近進められつつある。
【０００６】
しかし、重合されたＰＢＩは、溶媒に対する溶解度が顕著に低くて、反応媒体からの分離が非常に難しいので、高分子薄膜の製造が容易でないという短所がある（非特許文献２）。
【０００７】
【特許文献１】ロシア（ソ連）特許８７９９８５号明細書
【特許文献２】米国特許第５,８２４,６９８号明細書
【特許文献３】米国特許第５,３１７,０７８号明細書
【特許文献４】米国特許第５,４１２,０５９号明細書
【特許文献５】米国特許第５,５２５,４３６号明細書
【非特許文献１】Ｊ．Ｏｒｇ．Ｃｈｅｍ．１９７７，４２（２２）；ｐｐ３４８５〜９１
【非特許文献２】Ｈ.−Ｊ.Ｋｉｍ ｅｔ ａｌ.，Ｍａｃｒｏｍｏｌ．Ｒａｐｉｄ Ｃｏｍｍｕｎ.，２５，８９４（２００４）
【発明の開示】
【発明が解決しようとする課題】
【０００８】
本発明が解決しようとする課題は、従来開発されたベンズイミダゾール系化合物と異なる構造を有する新たなベンズイミダゾール化合物を提供することである。
【課題を解決するための手段】
【０００９】
前記課題を達成するために、本発明は、下記化学式１で表示されるベンズイミダゾール系化合物を提供する。
【化１】
2007509041.tif 000002
前記式で、Ｘは、Ｆ、Ｃｌ、ＢｒまたはＩのハロゲン元素であり、Ｙは、ニトロ基（−ＮＯ２）またはトリフルオロメチル基（−ＣＦ３）などの電子引力が強い作用基である。
【００１０】
前記化学式１のＸは、ＦまたはＣｌであることが望ましく、Ｙは、トリフルオロメチル基またはニトロ基であることが望ましい。
【００１１】
また、本発明は、前記化学式１のベンズイミダゾール系化合物を単量体として合成されたベンズイミダゾール高分子を提供する。
そして、前記合成されたベンズイミダゾール高分子を含む機能性高分子薄膜を提供する。
【００１２】
前記機能性高分子薄膜は、リン酸または硫酸でドーピングされたことが望ましく、燃料電池の電解質膜として使われうる。
【発明の効果】
【００１３】
本発明によるベンズイミダゾール系化合物は、新たな化合物であって、ビスヒドロキシ化合物と重合をなして多様な機能性高分子薄膜として使われうる高分子を製造できる。
【発明を実施するための最良の形態】
【００１４】
以下、下記の実施例を通じて本発明をさらに詳細に説明するが、本発明の範囲は、必ずしも実施例に限定されるものではない。
【実施例】
【００１５】
３,３’−ジアミノベンジジンテトラヒドロクロライド脱水物３.７５６ｇ（１０.４３０モル）と４−フルオロ−３−（トリフルオロメチル）ベンゾ酸４.３０ｇ（２０.８５４モル）とを５０mlのＰＰＭＡ（Ｐｈｏｓｐｈｏｒｏｕｓ ｐｅｎｔｏｘｉｄｅ／Ｍｅｔｈａｎｓｕｌｆｏｎｉｃ Ａｃｉｄ）に溶かし、１３０℃で５時間反応を進めた後、前記熱い反応溶液を１Ｍの水酸化ナトリウム溶液に注いだ。沈殿物をフィルタした後、熱い蒸溜水で濾過物を数回洗浄した。濾過物を１００℃の温度の真空オーブンで１２時間以上乾燥した後、エタノールから再結晶して純粋なベンズイミダゾール５.０５ｇを得た。本実施例の反応式は、下記に表した。分離したベンズイミダゾールは、１Ｈ−ＮＭＲでその化学的構造を確認した。
【００１６】
１Ｈ−ＮＭＲ（ＤＭＳＯ−ｄ６）：８.１８−８.０７（ｍ,２Ｈ）、７.４５（ｄ,１Ｈ）、７.３５−７.２３（ｍ,２Ｈ）、７.１９−７.１２（ｍ,１Ｈ）
【００１７】
【化２】
2007509041.tif 000003
【００１８】
前記本発明は、記載された具体例を中心に詳細に説明されたが、本発明の範囲及び技術思想の範囲内で多様な変形及び修正が可能であるということは、当業者ならば、明白に分かり、このような変形及び修正は、特許請求の範囲に属している。
【産業上の利用可能性】
【００１９】
本発明は、多様な機能性高分子薄膜の製造に利用可能である。
【国際調査報告】
2007509041.tif 000006
2007509041.tif 000007
(57)【要約】  本発明は順次に連結しているコンプレッサー、凝縮器、絞り弁及び蒸発器を含む空気熱エネルギー熱ポンプ型熱水炉を公開し、上記凝縮器が複数個の連結する凝縮器で構成され、各凝縮器は水タンク及び内部の放熱器からなり、各々水タンクには水路接続口と水出口を設置する。本発明は熱ポンプ原理を利用して環境の熱エネルギーを吸収し水を加熱する目的に達するので、環境の汚染を減少するばかりでなく、熱水を提供すると同時に冷量を提供し、大幅にエネルギーを節約できる；複数個の凝縮器を直列に連結し又は他の連結方式は異なった凝縮器の水出口で４５℃〜１００℃の各種温度の熱水が得られ、様々な要求を満足する。二つの蒸発器は直接又は間接に冷量を提供できる；しかも単独的な殻体の凝縮器組は現在のエアコンに連結して熱水を得る。
2007509305.tif 000002
【特許請求の範囲】
【請求項１】
順次に連結しているコンプレッサー、凝縮器、絞り弁及び蒸発器を含む空気熱エネルギー熱ポンプ型熱水炉であり、
上記凝縮器が複数個の連結する凝縮器で構成され、
各凝縮器は水タンク及び内部の放熱器からなり、
各々水タンクには水路接続口と水出口を設置することを特徴とする空気熱エネルギー熱ポンプ型熱水炉。
【請求項２】
上記の蒸発器は間接冷媒蒸発器と直接冷媒蒸発器を含み、間接冷媒蒸発器が殻体を有し、当該殻体に冷水の入口、出口を設置し、直接冷媒蒸発器がファンを設置していることを特徴とする請求項１に記載の空気熱エネルギー熱ポンプ型熱水炉。
【請求項３】
上記の複数個の凝縮器水タンクの水路はお互いに直列に連通されていることを特徴とする請求項１に記載の空気熱エネルギー熱ポンプ型熱水炉。
【請求項４】
上記のコンプレッサー、凝縮器、絞り弁及び蒸発器はともにひとつの外ケースに収納されることを特徴とする請求項１、２又は３のいずれかに記載の空気熱エネルギー熱ポンプ型熱水炉。
【請求項５】
上記の凝縮器が単独に殻体に収納し、殻体に冷凍媒体の入口、出口及び水の入口、出口を設置することを特徴とする請求項１に記載の空気熱エネルギー熱ポンプ型熱水炉。
【発明の詳細な説明】
【発明の詳細な説明】
【０００１】
〔技術分野〕
本発明は熱水炉に関し、詳しくは空気調節と熱水供給の機能を有する空気熱エネルギー熱ポンプ型熱水炉に関する。又は熱水器又は茶炉とも呼ばれ、工業、鉱山、商業、床屋、ソウナ屋、家庭住宅及び中央空調を備える場所に使用される。
【０００２】
〔背景技術〕
社会の発展と科学の進歩に伴って、現在に使用されている熱水炉は燃料と電力のエネルギーによって水を加熱するので、大量のエネルギーを消耗するばかりでなく、かつ環境に対し厳しい汚染を齎し、従って現代化の発展に適合しない。片一方は冷凍機は散発した大量のエネルギーを無駄にしてしまう。
【０００３】
〔発明の開示〕
本発明の目的は、現在の熱水炉が燃料と電力のエネルギーによって水を加熱することにおいて、大量のエネルギーを消耗するばかりでなく、かつ環境に対し厳しい汚染を齎す問題を解決し、かつ冷凍機と結合し省エネルギーできる空気熱エネルギー熱ポンプ型熱水炉を提供することにある。
【０００４】
本発明の技術構成は順次に連結しているコンプレッサー、凝縮器、絞り弁及び蒸発器を含んで、上記凝縮器が複数個の連結する凝縮器で構成され、各凝縮器は水タンク及び内部の放熱器からなり、各々水タンクには水路接続口と水出口を設置されることを特徴とする。
【０００５】
上記の蒸発器は間接冷媒蒸発器と直接冷媒蒸発器を含み、間接冷媒蒸発器が殻体を有し、当該殻体に冷水の入口、出口を設置し、直接冷媒蒸発器にファンを設置されている。
【０００６】
上記の複数個の凝縮器水タンクの水路はお互いに直列に連通されている。
【０００７】
上記のコンプレッサー、凝縮器、絞り弁及び蒸発器はともにひとつの外ケースに収納される。
【０００８】
上記の凝縮器が単独に殻体に収納し、殻体に媒体の入口、出口及び水の入口、出口を設置する。
【０００９】
本発明は熱ポンプ原理を利用して環境の熱を吸収し水の加熱する目的に達するので、環境の汚染を減少するばかりでなく、熱水を提供すると同時に冷凍量を提供し、大幅にエネルギーを節約できる；複数個の凝縮器を直列に連結した設計は異なった凝縮器の水出口で４５℃〜１００℃の各種温度の熱水が得られ、様々な要求を満足することができる。二つの種類の蒸発器は直接又は間接に冷凍量を提供できる；しかも単独的な殻体の凝縮器組は現在のエアコンに連結して熱水を得る。
【００１０】
〔発明を実施するための最良の形態〕
図１と図２を参照し、本発明は順次に連結しているコンプレッサー１、複数個凝縮器２、絞り弁３及び蒸発器４を含んで、各凝縮器２が水タンク２１及び内部の放熱器２２からなり、複数個凝縮器２の放熱器２２は冷凍媒体ライン５を通じて直列に連結し、各々水タンク２１に水路接続口６と水出口７を設置する。当該実施例の水路接続口６が互いに直列に連通し、第１の凝縮器水タンク２１には水入口１０を連結し、これは水の水源と繋がるためである。各水タンク２１の水出口７で異なった温度の熱水が得られる。
【００１１】
当該実施例の蒸発器４は間接冷媒蒸発器４１と直接冷媒蒸発器４２を含み、間接冷媒蒸発器４１が殻体４３を有し、当該殻体４３に冷水の入口４４、出口４５を設置し、直接冷媒蒸発器４２がファン４６を設置している。
【００１２】
上記のコンプレッサー１、凝縮器２、絞り弁３及び蒸発器４はともに一つの外ケース８に収納されている。
【００１３】
図３を参照し、これは凝縮器２が単独な殻体９内に置いた実施例で、殻体９に冷凍媒体の入り口１１と出口１２及び水の入り口１０と出口７を設置してある。図における標記１３は各凝縮器に設置されている温度センサー線であり、温度の検出と制御に使用されるのである。
【図面の簡単な説明】
【００１４】
【図１】本発明の一つの実施例の全体構成概要図である。
【図２】本発明の一つの実施例の立体構成概要図である。
【図３】本発明の単独的な凝縮器の構成概要図である。
【図１】
2007509305.tif 000003
【図２】
2007509305.tif 000004
【図３】
2007509305.tif 000005
【国際調査報告】
2007509305.tif 000006
2007509305.tif 000007
(57)【要約】  本発明は、人工歯（１）のためのパッケージであって、歯条片（３）が設けられており、この歯条片（３）が歯収容部を有しており、この歯収容部に人工歯が配置されている。本発明によれば、歯条片にはカバー（４）が配置されており、このカバーは歯条片と共に、歯を収容するための中空室を取り囲んでいる。
2007534376.tif 000002
【特許請求の範囲】
【請求項１】
人工歯（１）のためのパッケージであって、該パッケージに歯条片（３）が設けられており、該歯条片（３）が、歯収容部（２）を有しており、該歯収容部（２）に人工歯（１）が配置されており、歯条片（３）にカバー（４）が配置されており、該カバー（４）が、歯条片（３）と共に、歯（１）を収容するための中空室を取り囲んでおり、閉じられたカバー（４）が、少なくとも１つの歯（１）にそれぞれ少なくとも一点で接触し、該点が、歯収容部（２）に向かい合って配置されていることを特徴とする、人工歯（１）のためのパッケージ。
【請求項２】
中空室が、カバーが閉じられている場合には歯条片（３）から歯（１）が剥がれることが不可能であるように寸法取りされている、請求項１記載の装置。
【請求項３】
カバー（４）が、内側に少なくとも１つの突出部を有しており、該突出部が、少なくとも１つの歯（１）に接触している、請求項１又は２記載の装置。
【請求項４】
前記突出部が、１つ又は複数の段（５）の形で形成されている、請求項３記載の装置。
【請求項５】
カバー（１）が、透明な材料から作製されている、請求項１から４までのいずれか１項記載の装置。
【発明の詳細な説明】
【技術分野】
【０００１】
本発明は、人工歯のためのパッケージであって、歯条片が設けられており、この歯条片が歯収容部を有しており、この歯収容部に人工歯が配置されている形式のものに関する。
【０００２】
義歯のための人工歯は、個々に作製された義歯を装着する完全なセットの形で提供される。通例ではこれらの人工歯は条片に取外し可能に差し込まれている。条片及び歯のこの装置を以下に歯条片と呼ぶ。通常ではこのような歯条片は製造者により固定されずに、例えばほぼ靴箱サイズの引出し内で納品される。卸売り業者は、これらの引出しが格納される、場所を取る棚を保持せざるを得ない。次いで個々の歯科技工室への発送時には個々の歯が条片から剥がれてしまうことが頻繁にあり、このことは、探して分類する手間又は紛失につながる。
【０００３】
そこで本発明の根底にある課題は、公知の歯条片を改良することである。
【０００４】
歯条片にカバーが配置されており、このカバーが歯条片と共に、歯を収容するための中空室を取り囲んでいることにより、前記課題が簡単に解決されることが判った。すなわち、それぞれの条片には取外し可能なカバーを個々に設けることにより、このカバーは歯条片と一緒に閉鎖可能なパッケージを形成する。発送時の剥れは紛失の原因とはならず、形成された箱は判断に基づき積重ね可能になっており、埃から保護されており、倉庫管理者は、幾つのユニットを補充注文するべきなのかがより簡単にわかる。
【０００５】
有利には、装置は、カバーが閉じられている場合には条片から歯が剥がれることが不可能であるように中空室が寸法取りされていることを特徴としている。
【０００６】
歯１がワックスから成る歯収容部２に一列に貼り付けられている。この歯収容部は歯条片３の切欠き内に配置されている。歯１が緩められた場合にもこれらの歯１の配置が保持されるように、カバー４が密に接触していることが適切である。このためには、有利にはカバー４の形状が、歯１を装着された歯条片３のトポグラフィに適合される。図面では、真っ直ぐな傾斜した段５を有する段形状若しくは階段形状が生じており、この段形状若しくは階段形状が、装着された歯条片３の輪郭を模写していることが判る。この構造は、緩められた場合にそれぞれの歯１が別の歯に対して相対的な位置を保持するようにカバー４が密に接触していることをもたらす。図面ではより良好に見渡せるように、カバー４が歯条片の縁部を超えて右側へ突出している。
【図面の簡単な説明】
【０００７】
【図１】本発明の構成の概略図である。
【図１】
2007534376.tif 000003
【国際調査報告】
2007534376.tif 000004
2007534376.tif 000005
2007534376.tif 000006
2007534376.tif 000007
2007534376.tif 000008
2007534376.tif 000009
(57)【要約】  本発明は、移動無線デバイスの不所望なスイッチオンに対する保護方法に関している。本発明によれば、スイッチオンキーのプッシュと、１つ又は複数のその他のキーのほとんど同時のプッシュが記憶されて評価され、スイッチオンキーだけのプッシュが行われた場合にしか、当該無線デバイスを作動状態にもたらさないようにする。【特許請求の範囲】
【請求項１】
移動無線デバイスの不所望なスイッチオンに対する保護方法において、
スイッチオンキーのプッシュと、１つ又は複数のその他のキーのほとんど同時のプッシュが記憶されて評価され、
スイッチオンキーだけのプッシュが行われた場合にしか、当該無線デバイスを作動状態にもたらさないようにしたことを特徴とする方法。
【請求項２】
移動無線デバイスのロック機能の不所望な解除に対する保護方法において、
ロックキーのプッシュと、１つ又は複数のその他のキーのほとんど同時のプッシュが記憶されて評価され、
ロックキーだけのプッシュが行われた場合にしか、キーロックを解除しないようにしたことを特徴とする方法。
【請求項３】
移動無線デバイスの機能キーの不所望な操作に対する保護方法において、
機能キーのプッシュと、１つ又は複数のその他のキーのほとんど同時のプッシュが記憶されて評価され、
機能キーだけのプッシュが行われた場合にしか、対応する機能を活動化させないようにしたことを特徴とする方法。
【請求項４】
前記保護は、任意選択事項として選択可能である、請求項３記載の方法。
【発明の詳細な説明】
【技術分野】
【０００１】
本発明は、移動無線デバイスの不所望なスイッチオンに対する保護方法及び移動無線デバイスのロック機能の不所望な解除に対する保護方法、並びに移動無線デバイスの機能キーの不所望な操作に対する保護方法に関している。
【０００２】
背景技術
移動無線デバイスないしは携帯電話は、益々小型化し、それゆえにポケットに入れて持ち歩かれる。この場合の不所望なスイッチオンに対する保護は、通常はキーボタン上の蓋か若しくはハードケースによってなされている。しかしながらこれらの保護手段は、デバイス自体のデザインに影響を及ぼす。
【０００３】
このような移動無線デバイスでは、通常は所定の期間に亘るキーボタンのプッシュ操作、いわゆる長押し操作によってスイッチオンされている。しかしながら何らからの機械的な付加的保護なしでは、ポケットに入れてあるスイッチオフされた携帯電話は間違ってスイッチオンされる恐れがあり、さらに課金制のダイヤリングやインターネットアクセスがトリガされる恐れもある。
【０００４】
発明の開示
発明が解決しようとする課題
本発明の課題は、前述したような従来の欠点に鑑みこれを解消すべく改善を行うことであり、具体的には移動無線デバイスの不所望なスイッチオンないしはロック機能の不所望な解除に対する保護を強化することである。
【０００５】
課題を解決するための手段
前記課題は本発明の請求項１の特徴部分に記載された、移動無線デバイスの不所望なスイッチオンに対する保護方法と請求項２の特徴部分に記載された移動無線デバイスのロック機能の不所望な解除に対する保護方法、並びに請求項３の特徴部分に記載された移動無線デバイスの機能キーの不所望な操作に対する保護方法によって解決される。
【０００６】
発明を実施するための最良の形態
本発明による移動無線デバイスは、純粋に電子的な解決手段に基づいており、そのため電話機のデザインにおいてはあらゆる自由度が得られると同時にそれが維持され得る。
【０００７】
本発明による解決手段は、次のような仮定に基づいている。すなわちズボンのポケット等に入れて持ち歩かれている携帯電話は、コントロールされていないキー操作のもとでの純粋な長押しによってスイッチオンされるのではなく、例えばズボンのポケットによって被る圧力が多かれ少なかれ複数のキーに同時に分散されることに基づいている。
【０００８】
それゆえに本発明による方法では、長押しによる圧力若しくは長押し直後に生じる圧力が記憶され、それが例えばスタートアップの際あるいはスタートアップの後に評価される。オンオフキーの長押しと同時にないしはほとんど同時にその他のキーのプッシュが行われた場合、あるいはその直後に複数のキーが同時に押された場合には、それは誤った不可抗力に基づくものとして当該機器は再びスイッチオフされる。つまり移動無線機器は、予め定められた持続時間に亘ってオンオフスイッチ（スタートスイッチ）がプッシュされ、かつこの期間の間に別のさらなるキーのプッシュが何も行われなかった場合にしか作動状態に至らない。
【０００９】
また例えばロックされているキーボタンも同じような保護が可能である。所定のロックキーに対するロック機能の解除のためのキープッシュは、同じような形式で監視され、それによって不所望なキーロックの解除が回避される。
【００１０】
この同じ方法は、ソフトキーや短縮キーの保護にも利用することが可能である。それにより、スイッチオンされた機器のもとで例えばキーロックのトリガが忘れられていた場合でも、インターネットへの間違ったアクセスや電話帳若しくは短縮ダイヤルから不意に電話がかけられるようなことが回避される。この種の保護は、ユーザーに永続的な予防措置を提供し得る。そのため移動無線機器はスイッチオフ可能に維持されるが、キーロックの起動は忘れないようにできる。
【００１１】
本発明の構成によれば、これらのキーの保護は、任意選択事項としてメニューを介してユーザーに提供される。
【国際調査報告】
2007502552.tif 000002
2007502552.tif 000003
2007502552.tif 000004
2007502552.tif 000005
2007502552.tif 000006
2007502552.tif 000007
(57)【要約】  自然にやさしいイメージを付与し、再使用できる植物用薬液注入容器に関するものとして植物１の成長剤又は栄養剤が薬液状態に密封内蔵される貯蔵筒２と、該貯蔵筒２に連結された注入管３からなる植物用薬液注入容器において、前記貯蔵筒２は自然石型の不規則で厚ぼったい型を有しながら、外部から貯蔵された薬液の残量が観測できる透明なレベル窓４が形成され、注入管３は貯蔵筒２とハブ５を媒介に締まりばめ方式で結合されている。
2007502107.tif 000002
【特許請求の範囲】
【請求項１】
植物の成長剤、又は栄養剤としての植物用薬液を密封内蔵する貯蔵筒と、該貯蔵筒に連結されて前記植物用薬液を注出するための注入管と、を備えた植物用薬液注入容器において、
前記貯蔵筒は、その外面に液量を示すレベル窓を備え、
前記注入管は、前記貯蔵筒に対してハブを介して締まりばめ方式で結合されていることを特徴とする植物用薬液注入容器。
【請求項２】
前記貯蔵筒は、自然石型の不規則で厚ぼったい外観形状を有することを特徴とする請求項１に記載の植物用薬液注入容器。
【請求項３】
前記注入管と前記ハブとの結合部は、スクリュー方式により着脱可能に構成されていることを特徴とする請求項１又は２に記載の植物用薬液注入容器。
【発明の詳細な説明】
【技術分野】
【０００１】
本発明は、植物の生長を促進するのに役立つ植物用薬液注入容器に関し、特に観賞用植物や草花に対して、栄養剤や、生長に必要な薬剤を供給するのに好適な薬剤注入容器に関する。更に、本発明は、自然に優しい外観イメージを有しながら、再使用できる構成であることにより環境汚染問題も改善した自然石型の植物用薬液注入容器に関するものである。
【背景技術】
【０００２】
植木鉢や庭等に栽培される観賞用植物、草花、その他の樹木の生長を促進し、再生力及び繁殖力、生存力を向上させるために、薬液注入が一般的に行われている。図３中に符号１００により示した従来の薬液注入容器は、植物用薬液を収容する密封シリンダーと、シリンダーから延びる注入管とを備え、注入管を土壌中に突き刺しておくことにより、タンク内の薬液が適量ずつ土壌内に供給されるように構成されている。
しかし、この薬液注入容器１００は、自然界には存在しないシリンダー形状の注入器であるため、違和感があり、観賞用の植物を植えた植木鉢や庭の外観イメージを低下させる要因となっている。更に、見る人によっては栄養剤等を注入している様子から、この植物が病にかかっている印象、或いは衰弱しているような印象、或いは新鮮さを失っている印象を受けることも多々ある。このように従来の薬液注入容器を植物の近傍の土壌に差して放置した場合には、却って病気にかかった植物が周辺の人に被害を与えるような誤解をもたらすという視覚的及び環境的な短所があった。
また、従来の薬液注入容器は、大概使い捨てなので、使用後の環境汚染の問題点も有していた。
【発明の開示】
【発明が解決しようとする課題】
【０００３】
本発明は前記のような従来の問題点を解決するために案出されたものであり、植物に成長剤又は栄養剤などを周辺の土の中を通して注入する薬剤注入容器に、自然環境に溶け込んだやさしい外観イメージを与えながら、再使用することができる構造とした植物用薬液注入容器を提供することを目的としている。
【課題を解決するための手段】
【０００４】
上記目的を達成するため、本発明の植物用薬液注入容器は、植物の成長剤又は栄養剤が薬液状態に密封内蔵される貯蔵筒と、該貯蔵筒に連結された注入管からなる植物用薬液注入容器において、前記貯蔵筒は自然石型でありながら外部から薬液の残量が観測できるレベル窓が形成され、注入管は該貯蔵筒とハブを通して締まりばめ方式で結合する構造となっている。
【発明の効果】
【０００５】
本発明は草花又は植物の周辺の土壌に差し込んで使用する時に、草花の周辺の土に置かれている自然石の状態を再現しつつ使用できるので、新鮮な草花のイメージを生かせる環境にやさしいイメージを付与するのみならず、薬液の使用後、必要によって新たな薬液を供給し再使用することにより環境汚染の問題も改善する長所を有する。
【発明を実施するための最良の形態】
【０００６】
以下、本発明を添付の例示図面により詳細に説明する。
図１は本発明による自然石型の植物用薬液注入容器の外観斜視図であり、図２はその正面図であり、図３は使用状態を示した参考図である。
本発明の植物用薬液注入容器は、薬液状態にある植物１の成長剤又は栄養剤（植物用薬液）が密封内蔵される貯蔵筒２と、該貯蔵筒２に連結されて薬液を注出する注入管３と、を備えている。貯蔵筒２は自然石と同等の外観を有した不規則で厚ぼったい形状を有しながら、外部から貯蔵された薬液の残量が観測できる透明なレベル窓４が形成され、突出物である注入管３は、貯蔵筒２に対してハブ５を介して締まりばめ方式で結合されている。
よって、貯蔵筒２は平らな底面に設けられたハブ５を通して注入管３を締まりばめで嵌めて設置したり、分離することができる。例えば、貯蔵筒２内の薬液が全部費消された時に、新たな薬液を貯蔵筒２から注入管３を分離させた後、ハブ５に設けた開口を通して該薬液を貯蔵筒内に補給した後、再び注入管３を嵌め合わせて再使用できる。
また、注入管３とハブ５の連結は、図面に図示しなかったが、必要によってスクリュー連結方式、つまりネジ式で締結及び分離できることは勿論である。
一方、貯蔵筒２のレベル窓４は薬液の残量を外部から常に観測できるように透明になっているので、必要であればいつでも新たな薬液を円滑に供給できるようになっている。
【産業上の利用可能性】
【０００７】
前記のような本発明は、図３のように植木鉢等に植えられた草花又は植物の周辺の土に差し込んで使用する時に、自然石が草花の周辺の土に置かれている状態で使用できるので、新鮮な草花のイメージを生かせる環境にやさしいイメージを付与するのみならず、薬液の使用後、必要によって新たな薬液を供給し再使用することにより環境汚染の問題も改善する長所を有する。
【図面の簡単な説明】
【０００８】
【図１】本発明による自然石型の植物用薬液注入容器の全体斜視図。
【図２】図１の正面図。
【図３】本発明が植木鉢に設けられた使用状態の参考図。
【符号の説明】
【０００９】
１  植物、２  貯蔵筒、３  注入管、４  レベル窓、５  ハブ、１００  薬液注入容器
【図１】
2007502107.tif 000003
【図２】
2007502107.tif 000004
【図３】
2007502107.tif 000005
【国際調査報告】
2007502107.tif 000006
2007502107.tif 000007